(57)【特許請求の範囲】
【請求項１】
可撓性を有し少なくとも一方の面が透明になっているとともに、開閉可能な開閉口部を備えた袋部材の内面における一方に、硬質材料からなり上部側部分に開口が形成された透明の貯留容器を出し入れ可能に設置して、前記袋部材の内面における他方に硬質の板部材を前記貯留容器に対向して設置するとともに、前記貯留容器と前記板部材との間に、前記貯留容器と前記板部材との間隔を広げるように付勢する付勢部材を設置し、さらに、前記貯留容器の内部に、前記袋部材を貫通して前記袋部材の外部に延びる吸引チューブの基端部を設置したことを特徴とする医療用吸引集液器。
【請求項２】
前記付勢部材をばね部材で構成した請求項１に記載の医療用吸引集液器。
【請求項３】
前記ばね部材を収縮させて前記貯留容器と前記板部材との間隔を狭めた状態に維持するロック機構と、前記ロック機構によるロックを解除するためのロック解除機構とを備えた請求項１または２に記載の医療用吸引集液器。
【請求項４】
前記貯留容器における前記袋部材側の一方の面に接触する表面に前記貯留容器内の液量を測定するための目盛りを設けた請求項１ないし３のうちのいずれか一つに記載の医療用吸引集液器。
【請求項５】
前記貯留容器の上端部と前記板部材の上端部および前記貯留容器の下端部と前記板部材の下端部とをそれぞれ所定部分を中心としてその両側部分が互いに回転可能になった連結部材を介してヒンジ連結して、前記貯留容器、前記板部材および前記両連結部材を、前記貯留容器と前記板部材との間隔を変更することのできる枠状に形成した請求項１ないし４のうちのいずれか一つに記載の医療用吸引集液器。
【発明の詳細な説明】
【技術分野】
【０００１】
本発明は、体内から体液等を抜き取るために用いられる医療用吸引集液器に関する。
【背景技術】
【０００２】
従来から、例えば、患者の創傷部等にカテーテルの先端部を留置して体液等（体液、血液、滲出液等）を排出することが行われている。このような場合に、カテーテルの後端部に医療用吸引集液器を接続して、医療用吸引集液器を作動させることにより体液等を吸引して除去することが行われている（例えば、特許文献１参照）。この医療用吸引集液器は、外部に連通するチューブを備えた長方形のプラスチックバッグの内部に、一対のプレートと一対のプレート間に設置されたスプリングとを設けて構成されている。そして、スプリングを収縮させた状態から伸長させたときのプラスチックバッグの膨張により生じる吸引力を利用して、患者の創傷部等から体液等を吸引するように構成されている。
【特許文献１】特開昭５７―８１３４６号公報
【発明の開示】
【０００３】
しかしながら、前述した従来の医療用吸引集液器では、プラスチックバッグ内に体内から排出された排液が溜まる際に、プラスチックバッグが変形していくためプラスチックバッグ内に貯留される排液の量を外部から正確に確認することができないという問題がある。
【０００４】
本発明はこのような事情に鑑みなされたもので、その目的は、吸引し内部に貯留する排液の量を正確に確認することのできる医療用吸引集液器を提供することにある。
【０００５】
前述した目的を達成するため、本発明に係る医療用吸引集液器の構成上の特徴は、可撓性を有し少なくとも一方の面が透明になっているとともに、開閉可能な開閉口部を備えた袋部材の内面における一方に、硬質材料からなり上部側部分に開口が形成された透明の貯留容器を出し入れ可能に設置して、袋部材の内面における他方に硬質の板部材を貯留容器に対向して設置するとともに、貯留容器と板部材との間に、貯留容器と板部材との間隔を広げるように付勢する付勢部材を設置し、さらに、貯留容器の内部に、袋部材を貫通して袋部材の外部に延びる吸引チューブの基端部を設置したことにある。
【０００６】
前述したように構成した本発明の医療用吸引集液器では、袋部材の内面における一方に貯留容器を設置して、袋部材の内面における他方に硬質の板部材を貯留容器に対向させて設置している。そして、貯留容器と板部材との間にばね部材を設置している。このため、貯留容器と板部材との間隔を狭くした状態から、付勢部材を操作して貯留容器と板部材との間隔を広げると、袋部材が膨張して、吸引チューブを介して患者の体液等が袋部材内に吸引される。この際、貯留容器の上部側部分に開口が形成されているため、袋部材の内部と貯留容器の内部とは略同圧の陰圧になる。
【０００７】
このため、吸引チューブに吸引される体液等は吸引チューブの基端部から貯留容器内に入っていく。また、本発明の医療用吸引集液器では、体内から排出された排液が溜まる貯留容器が透明の硬質材料で構成され、表面部が可撓性を有し少なくとも貯留容器の表面が接触する面が透明になった袋部材で構成されている。このため、貯留容器に排液が溜まっても貯留容器は変形しなくなり、貯留容器内に溜まる排液の量を確認しながら、医療用吸引集液器を操作することができる。なお、貯留容器の上部側部分の開口は、上部側部分の全面に形成してもよいし、上部側部分の一部に形成してもよい。
【０００８】
また、本発明に係る医療用吸引集液器の他の構成上の特徴は、付勢部材をばね部材で構成したことにある。このため、ばね部材を収縮させた状態で、ばね部材を収縮させる力を解除すると、袋部材が膨張して、吸引チューブを介して患者の体液等が袋部材内に吸引される。これによると、付勢部材を簡単な構造にすることができ製造が容易になる。
【０００９】
また、本発明に係る医療用吸引集液器のさらに他の構成上の特徴は、ばね部材を収縮させて貯留容器と板部材との間隔を狭めた状態に維持するロック機構と、ロック機構によるロックを解除するためのロック解除機構とを備えたことにある。これによると、ロック機構によって、医療用吸引集液器を収縮させた状態にしておき、吸引操作を行う際に、ロック解除機構によってロックを解除させて医療用吸引集液器を膨張させることができるため、医療用吸引集液器の操作が容易になる。また、医療用吸引集液器を使用しないときには、収縮させておくことができるため、保管し易くなる。
【００１０】
また、本発明に係る医療用吸引集液器のさらに他の構成上の特徴は、貯留容器における袋部材側の一方の面に接触する表面に貯留容器内の液量を測定するための目盛りを設けたことにある。これによると、貯留容器内に溜まる排液の量を、目測でなく、正確に測定できるようになる。
【００１１】
また、本発明に係る医療用吸引集液器のさらに他の構成上の特徴は、貯留容器の上端部と板部材の上端部および貯留容器の下端部と板部材の下端部とをそれぞれ所定部分を中心としてその両側部分が互いに回転可能になった連結部材を介してヒンジ連結して、貯留容器、板部材および両連結部材を、貯留容器と板部材との間隔を変更することのできる枠状に形成したことにある。これによると、貯留容器と板部材との間に平行する方向に沿ったずれが生じることなく、貯留容器と板部材とが正確な位置関係で互いに進退できるようになる。また、これによって、医療用吸引集液器を堅牢に構成できるとともに、操作し易いものにすることができる。
【発明を実施するための最良の形態】
【００１２】
以下、本発明に係る医療用吸引集液器の一実施形態を図面を用いて詳しく説明する。図１は、同実施形態に係る医療用吸引集液器１０を示している。この医療用吸引集液器１０は、患者に施した手術後の創傷部等に溜まる体液等を排出するために使用されるもので、患者の創傷部等に留置されるカテーテル（図示せず）に接続されカテーテルを介して体液等を吸引する。この医療用吸引集液器１０は、透明の軟質フィルムからなる吸引バッグ１１を備えている。そして、この吸引バッグ１１は、四角形の袋状に形成され、その上端部における一方に、吸引バッグ１１内から外部に延びる吸引チューブ１２が貫通している。
【００１３】
また、図２および図３に示したように、吸引バッグ１１の内部における一方の面（表面）に、透明の硬質材料からなる貯留容器１３が設置され、吸引バッグ１１の内部における他方の面（裏面）に、硬質材料からなる四角形のプレート１４が設置されている。そして、貯留容器１３の上端の裏面側縁部と、プレート１４の上端縁部との間が連結部材１５で連結され、貯留容器１３の下端の裏面側縁部と、プレート１４の下端縁部との間が連結部材１６で連結されて、貯留容器１３、プレート１４および連結部材１５，１６で変形可能な枠状体が形成されている。
【００１４】
貯留容器１３は表裏面が大きく表裏方向の厚みが小さく設定された四角形の容器で構成され、上面が開口している。また、貯留容器１３の表面には、内部の液量を測定するための目盛り１７が設けられている。そして、吸引チューブ１２の基端部が、貯留容器１３の開口を通って貯留容器１３内の下部側に延びている。また、連結部材１５は、中央部１５ａが薄肉に形成されて、中央部１５ａを中心として両側部分が互いに回転可能になっている。そして、連結部材１５における貯留容器１３との連結部１５ｂおよびプレート１４との連結部１５ｃも薄肉に形成されて、連結部１５ｂを中心として貯留容器１３と連結部材１５とは互いに回転可能になり、連結部１５ｃを中心としてプレート１４と連結部材１５とは互いに回転可能になっている。
【００１５】
また、同様に、連結部材１６は、中央部１６ａが薄肉に形成されて、中央部１６ａを中心として両側部分が互いに回転可能になっている。そして、連結部材１６における貯留容器１３との連結部１６ｂおよびプレート１４との連結部１６ｃも薄肉に形成されて、連結部１６ｂを中心として貯留容器１３と連結部材１６とは互いに回転可能になり、連結部１６ｃを中心としてプレート１４と連結部材１６とは互いに回転可能になっている。また、貯留容器１３とプレート１４との間には、コイル状のスプリング１８が、貯留容器１３とプレート１４との間を広げるように付勢した状態で設置されている。なお、図示していないが、吸引バッグ１１は開閉可能な開閉口部を備えており、必要に応じて、この開閉口部を開閉することにより、内部の貯留容器１３等を取り出せるように構成されている。
【００１６】
この構成において、医療用吸引集液器１０を用いて患者の創傷部から体液等を排出する場合には、まず、図２に示したように、スプリング１８を収縮させて、貯留容器１３とプレート１４との間隔を狭くすることにより、吸引バッグ１１を萎ませた状態にする。そして、吸引チューブ１２の先端部を、先端部が患者の創傷部に留置されたカテーテルの後端部に接続して、スプリング１８を収縮させる力を解除する。これによって、図３に示したように、スプリング１８が伸長して吸引バッグ１１が膨張する。
【００１７】
この吸引バッグ１１が収縮した状態から膨張した状態に変化するときに、吸引バッグ１１内が陰圧になり、カテーテルおよび吸引チューブ１２を介して創傷部の体液等が貯留容器１３内に吸引されて入っていく。この場合、吸引バッグ１１および貯留容器１３が透明になっているとともに、貯留容器１３の表面に目盛り１７が設けられているため、貯留容器１３内に溜まる排液の量を正確に確認することができる。そして、貯留容器１３内に所定量の排液が溜まると、カテーテルから吸引チューブ１２を外したのち、吸引バッグ１１を開けて内部の貯留容器１３等を取り出す。貯留容器１３内の排液は所定の場所に廃棄する。また、この操作の際、カテーテルはクリップ等の部材で閉塞しておく。そして、貯留容器１３等を吸引バッグ１１内に再度設置して、必要に応じて前述した操作を繰り返す。
【００１８】
このように、本実施形態に係る医療用吸引集液器１０では、吸引バッグ１１内の一方に上面が開口した貯留容器１３を設置して、吸引バッグ１１内の他方に硬質のプレート１４を貯留容器１３に対向させて設置している。そして、貯留容器１３とプレート１４との間にスプリング１８を設置している。このため、スプリング１８を収縮させた状態から伸長させると、吸引バッグ１１が膨張して、吸引チューブ１２を介して患者の体液等が吸引バッグ１１内の貯留容器１３内に吸引される。
【００１９】
また、吸引バッグ１１および貯留容器１３が透明の材料で構成され、貯留容器１３の表面には目盛り１７が設けられている。さらに、貯留容器１３は硬質材料で構成されている。このため、貯留容器１３に排液が溜まっても貯留容器１３は変形しなくなり、貯留容器１３内に溜まる排液の量を正確に確認しながら、医療用吸引集液器１０を操作することができる。
【００２０】
さらに、貯留容器１３の上端部とプレート１４の上端部とを連結部材１５でヒンジ連結するとともに、貯留容器１３の下端部とプレート１４の下端部とを連結部材１６でヒンジ連結することにより、貯留容器１３、プレート１４および連結部材１５，１６を、貯留容器１３とプレート１４との間隔を変更することのできる枠状に形成している。このため、貯留容器１３とプレート１４との間がずれることなく、正確な位置関係で互いに進退できるようになる。この結果、堅牢に構成されるとともに、操作のし易い医療用吸引集液器１０を得ることができる。
【００２１】
また、本発明に係る医療用吸引集液器の他の実施形態として、図４および図５に示したように、貯留容器１３ａとプレート１４ａとの間に、ロック機構２０を設けることができる。このロック機構２０は、貯留容器１３ａの裏面に設けられた楔状の固定係合部２１と、プレート１４ａに移動可能に設けられた楔状の移動係合部２２と、移動係合部２２を固定係合部２１側に付勢するばねからなる付勢部２３とを備えている。また、移動係合部２２の基端部には、手で持って操作するための操作部２４が設けられている。
【００２２】
固定係合部２１は、貯留容器１３ａの裏面からプレート１４ａに向って延びる突起で構成され、先端部が傾斜面２１ａを備えており、傾斜面２１ａの後端（貯留容器１３ａ側の端部）に段部２１ｂが形成されている。また、移動係合部２２は、プレート１４ａに形成されたスライド孔２５を介してプレート１４ａに移動可能に取り付けられており、基端側に設けられた操作部２４を吸引バッグ１１ａの外面側に位置させた状態で、先端部が貯留容器１３ａに向って延びている。
【００２３】
この移動係合部２２の先端部は、固定係合部２１の傾斜面２１ａに対向して面接触が可能な傾斜面２２ａに形成され、傾斜面２２ａの基端（プレート１４ａ側の端部）に段部２１ｂと係合可能な段部２２ｂが形成されている。また、付勢部２３は、プレート１４ａの内面に固定された取付部２６に一端が固定され、移動係合部２２におけるプレート１４ａの内面近傍部分に他端が固定されている。
【００２４】
そして、付勢部２３に力が加わらず、付勢部２３が延びきった状態では、図５に示したように、移動係合部２２の先端部が、固定係合部２１の先端部よりもやや高い位置になる。また、付勢部２３の弾性に抗して操作部２４を操作することにより、移動係合部２２をスライド孔２５に沿って移動させることができる。また、操作部２４と吸引バッグ１１ａとの間は液密的に密閉されている。このロック機構２０を備えた医療用吸引集液器のそれ以外の部分の構成については、前述した医療用吸引集液器１０と同一である。
【００２５】
このように構成したため、図５に示した状態から、プレート１４ａを貯留容器１３ａ側に押すと、まず、移動係合部２２の先端部が、固定係合部２１の先端部に接触し、さらに移動係合部２２の傾斜面２２ａが固定係合部２１の傾斜面２１ａに対して接触しながらスライドしていく。この際、付勢部２３には、収縮する方向に力が加わって、付勢部２３は収縮していく。そして、傾斜面２２ａの基端が傾斜面２１ａの後端を超えると、移動係合部２２の段部２２ｂが固定係合部２１の段部２１ｂに係合して図４の状態になる。
【００２６】
このとき、移動係合部２２は、付勢部２３の弾性によって、固定係合部２１側に付勢され、段部２１ｂ，２２ｂの係合状態が維持される。そして、吸引操作のために、ロック機構２０のロックを解除する際には、図４の状態から、操作部２４を付勢部２３の弾性に抗して、上方にスライドさせる。これによって、段部２１ｂ，２２ｂの係合が解除される。この結果、前述したスプリング１８の復元力によって、プレート１４ａは貯留容器１３ａから離れるように移動し、吸引バッグ１１ａは膨張する。
【００２７】
このように、このロック機構２０を備えた医療用吸引集液器によると、ロック機構２０によって、医療用吸引集液器を収縮させた状態にしておき、吸引操作を行う際に、ロック解除機構としての操作部２４の操作によってロックを解除させて吸引バッグ１１ａを膨張させることができるため、医療用吸引集液器の操作が容易になる。また、医療用吸引集液器を使用しないときには、ロック機構２０をロック状態にして医療用吸引集液器を収縮させておくことができるため、保管し易くなる。
【００２８】
また、本発明に係る医療用吸引集液器は、前述した実施形態に限定するものでなく、適宜変更して実施することができる。例えば、前述した実施形態では、吸引バッグ１１，１１ａを透明の材料で構成しているが、この吸引バッグ１１，１１ａは、貯留容器１３，１３ａに接触する面が透明になっていればよく、他の部分は不透明にしてもよい。また、前述した実施形態では、貯留容器１３，１３ａの表面に目盛り１７を設けているが、この目盛り１７を省略することもできる。その場合でも、貯留容器１３，１３ａが硬質材料で構成されているため、変形することがなく、目測でおおよその液量を知ることができる。
【００２９】
また、前述した実施形態では、付勢部材として、コイル状のスプリング１８を用いているが、このスプリング１８に代えて他の板ばね等のばね部材を用いてもよいし、ばね部材以外の部材を用いてもよい。ばね部材以外の部材としては、所定の操作により収縮、膨張する部材や撓む等の変形が可能な部材を用いることができる。さらに、ロック機構等、医療用吸引集液器を構成するそれ以外の部分についても適宜変更して実施することができる。
【図面の簡単な説明】
【００３０】
【図１】本発明の一実施形態に係る医療用吸引集液器を示した正面図である。
【図２】図１に示した医療用吸引集液器の断面図である。
【図３】図２の医療用吸引集液器が膨張した状態を示した断面図である。
【図４】本発明の他の実施形態に係る医療用吸引集液器が備えるロック機構を示した断面図である。
【図５】図４のロック機構が解除された状態を示した断面図である。
【符号の説明】
【００３１】
１０…医療用吸引集液器、１１，１１ａ…吸引バッグ、１２…吸引チューブ、１３，１３ａ…貯留容器、１４，１４ａ…プレート、１５，１６…連結部材、１５ａ，１６ａ…中央部、１５ｂ，１５ｃ，１６ｂ，１６ｃ…連結部、１７…目盛り、１８…スプリング、２０…ロック機構、２４…操作部。
【図１】
0004550751.tif 000002
【図２】
0004550751.tif 000003
【図３】
0004550751.tif 000004
【図４】
0004550751.tif 000005
【図５】
0004550751.tif 000006